(57)【要約】【課題】複数の基礎構造物に被支持物又は連結要素を取り付ける作業を容易で作業性よいものにする。【解決手段】高さ方向に対して角度を持ち且つ互いに干渉することなく異なる方向に延びて一端が高さ方向の一方側の中央部１１の周囲に開口し他端が高さ方向の他方側に開口し、地中に打ち込まれる杭２０が嵌挿される二以上の貫通孔１２が設けられた複数の基礎構造物１０と、これらの基礎構造物の高さ方向の一方側に配置される被支持物４０とにより土地に完成構造物を構築する方法である。複数の基礎構造物１０と、被支持物又は連結要素とを接続する第１工程と、各基礎構造物の貫通孔に杭をそれぞれ嵌挿して土壌中へ打ち込む第２工程とを備えている。【選択図】図１
2014047475.tif 000002
【特許請求の範囲】
【請求項１】
高さ方向に対して角度を持ち且つ互いに干渉することなく異なる方向に延びて一端が上記高さ方向の一方側の中央部周囲に開口し他端が上記高さ方向の他方側に開口し、地中に打ち込まれる杭が嵌挿される二以上の貫通孔が設けられた複数の基礎構造物と、これらの基礎構造物の上記高さ方向の上記一方側に配置される被支持物とにより土地に完成構造物を構築する方法であって、
上記複数の基礎構造物と、上記被支持物、又は上記被支持物を構成する要素のなかで上記複数の基礎構造物のうち二以上の上記基礎構造物を連結することになる連結要素とを接続する第１工程と、
上記各基礎構造物の上記貫通孔に上記杭をそれぞれ嵌挿して土壌中へ打ち込む第２工程とを備えた完成構造物の施工方法。
【請求項２】
上記第１工程で、上記基礎構造物の上記各貫通孔の内部空間を上記高さ方向の上記一方側に延長してできた延長空間がそれぞれ上記被支持物又は上記連結要素と干渉しないように、上記被支持物又は上記連結要素に対する上記基礎構造物の上記高さ方向に延びる軸まわりの位置が決められている請求項１の完成構造物の施工方法。
【請求項３】
上記第１工程が、上記複数の基礎構造物を地面付近にそれぞれ配置してから、上記複数の基礎構造物に上記被支持物又は上記連結要素をそれぞれ接続する工程である請求項１又は請求項２の完成構造物の施工方法。
【請求項４】
上記被支持物の上記連結要素が、上記高さ方向と交差する方向へ延びる横梁である請求項１ないし請求項３のうちいずれか１項の完成構造物の施工方法。
【請求項５】
上記基礎構造物が、上記中央部に設けられた接続部材を備えており、この接続部材の上記高さ方向の上記一方側に、上記被支持物又は上記連結要素が接続されるように構成されている請求項１ないし請求項４のうちいずれか１項の完成構造物の施工方法。
【発明の詳細な説明】
【技術分野】
【０００１】
本発明は、完成構造物の基礎の技術分野に属し、上記基礎を構成する要素となる複数の基礎構造物と、これら複数の基礎構造物に支持される被支持物とを備えた完成構造物の施工方法に関する。
【背景技術】
【０００２】
特許文献１は簡易基礎を開示している。これは被支持体を支持するための金属製の簡易基礎であって、土壌中に傾斜した状態で打ち込まれる１以上の打ち込み杭と、上記打ち込み杭が挿入され、上記被支持体を上部で取り付けるための取り付け金具を有する支持部とを備え、上記支持部は、中空の略球体状又は略楕円球体状であり、上記支持部の下部が地面に接するように載置され、上記打ち込み杭は、上記被支持体を取り付ける部分から上記打ち込み杭が挿入される部分に向けて碗状に傾斜した部分に挿入される。特許文献２も、この種の簡易基礎を開示している。
【先行技術文献】
【特許文献】
【０００３】
【特許文献１】特許第４３３５９５８号公報
【特許文献２】特開２００７−２４７２４９号公報
【発明の概要】
【発明が解決しようとする課題】
【０００４】
このような簡易基礎の上に被支持物を構築する場合、従来は次の施工方法が用いられていた。すなわち、第１の工程として、施工現場で、複数の上記支持部を、少なくともその下部を地中に埋め込むことで土地にそれぞれ配置し、上記各支持部に上記複数の打ち込み杭を嵌挿して土壌中へ傾斜した状態で打ち込むことを行う。次いで、第２の工程として、上記各支持部ごとに上記取り付け金具の高さ位置を測定して上記各支持部に取り付けられる上記被支持物の支柱等の寸法をそれぞれ決めることを行う。次いで、第３の工程として、例えば工場等で、上記支柱等の加工を行う。すなわち、上記各支柱等が上記施工現場で割り出した長さになるよう上記各支柱等にそれぞれ切断などの加工を行う。そして、第４の工程として、上記被支持物の上記支柱等を現場に搬入し、それらを上記各支持部の上にそれぞれ取り付け、上記構造物を構築する。
【０００５】
ところで、本発明者は、上記複数の支持部の上に、上記被支持物を構成する要素である横梁を横に渡して上記各支持部の上記取り付け金具にそれぞれ接続し、この横梁を手掛かりにして上記被支持物を構築することを試みた。しかし、そのようにすると、上記複数の支持部の上記取り付け金具の高さ位置を高精度で揃えなければ上記横梁を上記各取り付け金具に接続することができない。そのため、上記複数の支持部を土地に高精度で配置し、上記打ち込み杭を上記各支持部が動かないように注意深く土壌中へ打ち込む必要があり、施工に手間がかかり、作業性がよくない。特に、上記被支持物の規模が大きく上記支持部の数が多いときには、作業に非常に手間がかかり、施工が困難を極める。
【０００６】
本発明は、このような点に着目してなされたものであり、その目的とするところは、複数の上記支持部のような基礎構造物に上記被支持物、又は例えば上記横梁のように上記被支持物を構成する要素のなかで上記複数の基礎構造物のうち二以上の上記基礎構造物を連結することになる連結要素を取り付ける場合、まず上記複数の基礎構造物に上記被支持物又は上記連結要素を取り付け、次いで上記各基礎構造物の上記貫通孔に上記杭をそれぞれ嵌挿して土壌中へ打ち込むことで、施工が容易で作業性のよい完成構造物の施工方法を提供することにある。
【課題を解決するための手段】
【０００７】
上記目的を達成するため、本発明の第１の完成構造物の施工方法は、
高さ方向に対して角度を持ち且つ互いに干渉することなく異なる方向に延びて一端が上記高さ方向の一方側の中央部周囲に開口し他端が上記高さ方向の他方側に開口し、地中に打ち込まれる杭が嵌挿される二以上の貫通孔が設けられた複数の基礎構造物と、これらの基礎構造物の上記高さ方向の上記一方側に配置される被支持物とにより土地に完成構造物を構築する方法であって、
上記複数の基礎構造物と、上記被支持物、又は上記被支持物を構成する要素のなかで上記複数の基礎構造物のうち二以上の上記基礎構造物を連結することになる連結要素とを接続する第１工程と、
上記各基礎構造物の上記貫通孔に上記杭をそれぞれ嵌挿して土壌中へ打ち込む第２工程とを備えた完成構造物の施工方法である。
【０００８】
この完成構造物は、上記各基礎構造物を貫通して異なる方向に延びる二以上の杭が土壌中に打ち込まれているので、あらゆる方向から外力を受けても上記杭が抜けるおそれが少なく、例えば上記被支持物が上記基礎構造物ごと土地から浮き上がるおそれが少ない。そして、この施工方法の場合、上記各基礎構造物の上記貫通孔に上記杭をそれぞれ嵌挿して土壌中へ打ち込む前に、上記複数の基礎構造物と、上記被支持物又は上記連結要素とを接続するので、予め上記各基礎構造物を土地にそれぞれ高精度で配置すること、上記杭を上記各基礎構造物が動かないように注意深く土壌中へ打ち込むことなどが不要となり、施工が容易となり、作業性がよくなる。
【０００９】
本発明の第２の完成構造物の施工方法は、上記第１の完成構造物の施工方法において、
上記第１工程で、上記基礎構造物の上記各貫通孔の内部空間を上記高さ方向の上記一方側に延長してできた延長空間がそれぞれ上記被支持物又は上記連結要素と干渉しないように、上記被支持物又は上記連結要素に対する上記基礎構造物の上記高さ方向に延びる軸まわりの位置が決められている完成構造物の施工方法である。
【００１０】
このようにすれば、上記各延長空間を通って土壌中に打ち込まれていく上記各杭が、いずれも上記被支持物又は上記連結要素と干渉しないので、施工が容易となり、作業性がよくなる。
【００１１】
本発明の第３の完成構造物の施工方法は、上記第１又は上記第２の完成構造物の施工方法において、
上記第１工程が、上記複数の基礎構造物を地面付近にそれぞれ配置してから、上記複数の基礎構造物に上記被支持物又は上記連結要素をそれぞれ接続する工程である完成構造物の施工方法である。
【００１２】
本発明の完成構造物の施工方法の場合、こうする以外にも、例えば、上記第１工程を、上記複数の基礎構造物と、上記被支持物又は上記連結要素とを接続してから、上記複数の基礎構造物を地面付近にそれぞれ配置する工程としてもよい。それに較べると、上記第３の完成構造物の施工方法は、上記複数の基礎構造物を地面付近にそれぞれ配置してから、それに上記被支持物又は上記連結要素を接続するので、土地への搬入を上記複数の基礎構造物と、上記被支持物又は上記連結要素とで別々に行なえ、作業の負担が軽減される可能性がある。
【００１３】
本発明の第４の完成構造物の施工方法は、上記第１ないし上記第３のうちいずれか一つの完成構造物の施工方法において、
上記被支持物の上記連結要素が、上記高さ方向と交差する方向へ延びる横梁である完成構造物の施工方法である。
【００１４】
このようにすれば、例えば上記横梁の幅が上記基礎構造物の幅よりも短いときなどには、上記各延長空間を通って土壌中に打ち込まれていく上記各杭が、いずれも上記横梁と干渉しにくくなり、施工が容易となり、作業性がよくなる。
【００１５】
本発明の第５の完成構造物の施工方法は、上記第１ないし上記第４のうちいずれか一つの完成構造物の施工方法において、
上記基礎構造物が、上記中央部に設けられた接続部材を備えており、この接続部材の上記高さ方向の上記一方側に、上記被支持物又は上記連結要素が接続されるように構成されている完成構造物の施工方法である。
【００１６】
このようにすれば、上記基礎構造物と上記被支持物又は上記連結要素とが上記接続部材の分だけ上記高さ方向に距離をあけるので、上記各延長空間を通って土壌中に打ち込まれていく上記各杭が、いずれも上記被支持物又は上記連結要素と干渉しにくくなり、施工が容易となり、作業性がよくなる。
【発明の効果】
【００１７】
本発明の上記第１の完成構造物の施工方法は、上記複数の基礎構造物に上記被支持物又は上記連結要素を取り付ける場合、まず上記複数の基礎構造物に上記被支持物又は上記連結要素を取り付けておき、次いで上記各基礎構造物の上記貫通孔に上記杭をそれぞれ嵌挿して土壌中へ打ち込むようにしたので、施工が容易で作業性がよい。そして、出来た完成構造物は、あらゆる方向から外力を受けても上記杭が抜けるおそれが少なく、例えば上記被支持物が上記基礎構造物ごと土地から浮き上がるおそれが少ない。
【００１８】
本発明の上記第２の完成構造物の施工方法によれば、上記第１の完成構造物の施工方法により得られる効果が得られることに加え、さらに、上記各延長空間を通って土壌中に打ち込まれていく上記各杭が、いずれも上記被支持物又は上記連結要素と干渉しないので、施工が容易となり、作業性がよくなる。
【００１９】
本発明の上記第３の完成構造物の施工方法によれば、上記第１又は上記第２の完成構造物の施工方法により得られる効果が得られることに加え、さらに、例えば、上記第１工程を、上記複数の基礎構造物と、上記被支持物又は上記連結要素とを接続してから、上記複数の基礎構造物を地面付近にそれぞれ配置する工程に較べて、土地への搬入を上記複数の基礎構造物と、上記被支持物又は上記連結要素とで別々に行なえ、作業の負担が軽減される可能性がある。
【００２０】
本発明の上記第４の完成構造物の施工方法によれば、上記第１ないし上記第３のうちいずれか一つの完成構造物の施工方法により得られる効果が得られることに加え、さらに、例えば上記横梁の幅が上記基礎構造物の幅よりも短いときなどには、上記各延長空間を通って土壌中に打ち込まれていく上記各杭が、いずれも上記連結要素と干渉しにくくなり、施工が容易となり、作業性がよくなる。
【００２１】
本発明の上記第５の完成構造物の施工方法によれば、上記第１ないし上記第４のうちいずれか一つの完成構造物の施工方法により得られる効果が得られることに加え、さらに、上記基礎構造物と上記被支持物又は上記連結要素とが上記接続部材の分だけ上記高さ方向に距離をあけるので、上記各延長空間を通って土壌中に打ち込まれていく上記各杭が、いずれも上記被支持物と干渉しにくくなり、施工が容易となり、作業性がよくなる。
【図面の簡単な説明】
【００２２】
【図１】図１は、本発明の完成構造物の施工方法の第１の実施形態により組み立てられた完成構造物の第１の実施形態を示す斜視図である。土地の表現は省略している。
【図２】図２は、上記第１実施形態の完成構造物から太陽電池パネルを取り去ったときの斜視図である。土地の表現は省略している。
【図３】図３は、上記第１実施形態における一つの基礎構造物とその周囲を示した拡大斜視図である。土地の表現は省略している。
【図４】図４は、上記第１実施形態における上記一つの基礎構造物とその周囲を示した拡大側面図である。土地の表面を仮想線で示している。
【図５】図５は、上記第１実施形態における上記一つの基礎構造物とその周囲を示した拡大正面図である。土地の表面を仮想線で示している。
【図６】図６は、上記第１実施形態における上記一つの基礎構造物とその周囲を示した拡大平面図である。太陽電池パネル等の表現は省略している。土地の表現は省略している。
【図７】図７は、上記第１実施形態および第２実施形態に係る完成構造物で用いた一つの上記基礎構造物とその周囲を横梁又は支柱などを取り去って示す拡大斜視図である。土地の表現は省略している。
【図８】図８は、上記第１実施形態および上記第２実施形態に係る完成構造物で用いた上記一つの基礎構造物とその周囲を上記横梁又は上記支柱などを取り去って示す拡大斜視図である。土地の表現は省略している。
【図９】図９は、上記第１実施形態および上記第２実施形態に係る完成構造物で用いた上記一つの基礎構造物とその周囲を上記横梁又は上記支柱などを取り去って示す拡大平面図である。土地の表現は省略している。
【図１０】図１０は、第１実施形態の完成構造物の施工方法の第１工程で、上記複数の基礎構造物を、少なくともそれぞれの高さ方向の上記他方側を地中に埋め込むことで土地にそれぞれ配置した状態を示す平面図である。
【図１１】図１１は、上記第１実施形態の完成構造物の施工方法の第１工程で、上記複数の基礎構造物に被支持物の連結要素をそれぞれ接続する状態を示す平面図である。
【図１２】図１２は、上記第１実施形態の完成構造物の施工方法の第２工程が完了して、上記各基礎構造物の貫通孔に杭をそれぞれ嵌挿して土壌中へ打ち込んだ状態を示す平面図である。
【図１３】図１３は、本発明の第２実施形態に係る完成構造物の施工方法により組み立てられた完成構造物の第２実施形態を示す斜視図である。土地の表現は省略している。
【図１４】図１４は、上記第２実施形態の完成構造物から太陽電池パネルを取り去ったときの斜視図である。土地の表現は省略している。
【図１５】図１５は、上記第２実施形態における一つの上記基礎構造物とその周囲を示した拡大斜視図である。土地の表現は省略している。
【図１６】図１６は、上記第２実施形態における上記一つの基礎構造物とその周囲を示した拡大側面図である。土地の表面を仮想線で示している。
【図１７】図１７は、上記第２実施形態における上記一つの基礎構造物とその周囲を示した拡大正面図である。土地の表面を仮想線で示している。
【図１８】図１８は、上記第２実施形態における上記一つの基礎構造物とその周囲を支柱を切断して示す拡大平面図である。土地の表現は省略している。
【図１９】図１９は、上記第２実施形態の完成構造物の施工方法の第１工程で、上記複数の基礎構造物を、少なくともそれぞれの上記高さ方向の上記他方側を地中に埋め込むことで土地にそれぞれ配置した状態を示す平面図である。
【図２０】図２０は、上記第２実施形態の完成構造物の施工方法の第１工程で、上記複数の基礎構造物に被支持物の連結要素をそれぞれ接続する状態を示す平面図である。
【図２１】図２１は、上記第２実施形態の完成構造物の施工方法の第２工程が完了して、上記各基礎構造物の貫通孔に杭をそれぞれ嵌挿して土壌中へ打ち込んだ状態を示す平面図である。
【図２２】図２２は、上記第１実施形態の完成構造物の変形例における一つの上記基礎構造物とその周囲を示した拡大側面図である。土地の表面を仮想線で示している。
【図２３】図２３は、上記第１実施形態の完成構造物の変形例における上記一つの基礎構造物とその周囲を示した拡大正面図である。土地の表面を仮想線で示している。
【図２４】図２４は、上記第２実施形態の完成構造物の変形例における一つの上記基礎構造物とその周囲を示した拡大側面図である。土地の表面を仮想線で示している。
【図２５】図２５は、上記第２実施形態の完成構造物の変形例における上記一つの基礎構造物とその周囲を示した拡大正面図である。土地の表面を仮想線で示している。
【発明を実施するための形態】
【００２３】
図１は、本発明の完成構造物の施工方法の、いくつかの実施形態によって土地に構築された完成構造物の第１の実施形態を示す。この完成構造物は、複数の基礎構造物１０と、複数の杭２０と、これらの基礎構造物１０の高さ方向の一方側に配置された被支持物４０とを備えている。この実施形態の場合、上記基礎構造物１０は、さらに接続部材３０を備えているが、本発明の上記基礎構造物には、上記基礎構造物１０において上記接続部材を備えていない基礎構造物も含まれる。図３ないし図６は、上記完成構造物において、上記基礎構造物１０と、上記被支持物４０を構成する要素のなかで上記複数の基礎構造物１０のうち二以上の上記基礎構造物１０を連結することになる連結要素である横梁４２ａとの接続部分を中心に表している。図７ないし図９は、上記基礎構造物１０および上記杭２０を示している。
【００２４】
図７ないし図９に示すように、上記基礎構造物１０は、塊状に形成されている。この実施形態の場合、上記基礎構造物１０は球体を多面で面取りした形状に形成されている。この実施形態の場合、上記基礎構造物１０は中に材料が詰まっているが、中空に形成してもよい。この実施形態の場合、上記基礎構造物１０はコンクリートに樹脂繊維又は鋼繊維を混入したものを固めて型で成型しているが、上記基礎構造物は、例えば金属、樹脂、又はその他の材料によって形成してもよい。上記基礎構造物１０には、二以上の貫通孔１２が貫通している。この実施形態の場合、四つの上記貫通孔１２が貫通しているが、上記貫通孔の数は二以上であればよい。上記各貫通孔１２は、一端が上記基礎構造物１０の上記高さ方向の一方側の中央部１１の周囲に開口し、他端が上記基礎構造物１０の上記高さ方向の他方側に開口している。上記高さ方向は、図４でいえば、同図を符号が正しくみえる向きにおいて上下方向になる。上記高さ方向は、鉛直方向を含むが上記鉛直方向と角度をなすこともある。上記複数の貫通孔１２は、上記高さ方向に対して、０度を超え且つ９０度未満の角度をなしている。また、上記複数の貫通孔１２は、互いに干渉することなく異なる方向に延びている。上記貫通孔１２は、真っ直ぐに形成されている。この実施形態の場合、上記貫通孔１２は、当該貫通孔１２の延びる方向にみて円形状に形成されているが、例えば多角形状又はその他の形状であってもよく、また上記貫通孔１２の延びる方向に沿って形状が変化してもよい。上記基礎構造物１０は地面付近に配置される。この配置の形態には、例えば上記基礎構造物を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０は、少なくとも上記高さ方向の上記他方側が地中に埋め込まれ、これによって上記基礎構造物１０が地面付近に配置される。図４および図５に、地面つまり土地の表面Ｇを仮想線で示したが、図中の上記基礎構造物１０に対する上記土地の表面Ｇの位置は一例であるに過ぎない。上記複数の杭２０は、上記基礎構造物１０の上記貫通孔１２にそれぞれ嵌挿されて地中に打ち込まれる。
【００２５】
上記杭２０は、真っ直ぐに形成されている。この実施形態の場合、上記杭２０は、上記貫通孔１２に対応して上記杭２０の延びる方向にみて外形が円形状になるように形成されているが、例えば上記外形が多角形状又はその他の形状に形成されてもよく、また上記杭２０の延びる方向に沿って上記外形が変化してもよい。上記杭２０は鋼で出来ているが、例えば他の金属、樹脂、又はその他の材質で形成してもよい。この実施形態の場合、上記杭２０は中空の棒、つまりパイプであるが、中実の棒に形成してもよい。上記杭２０は、上記基礎構造物１０の上記貫通孔１２に嵌挿されて上記基礎構造物１０の上記高さ方向の上記他方側から出た部分が地中に打ち込まれるが、その際に地中に十分な長さでもって打ち込まれるように長さが設定されている。地中に打ち込まれた上記杭２０は、例えば上記高さ方向からみて上記高さ方向の上記他方側の先端が放射状に延びており、例えば上記高さ方向に直交する幅方向、又は上記高さ方向および上記幅方向の両方に直交する奥行き方向など上記高さ方向と直交する方向からみて例えば上記高さ方向の上記他方側の先端へ向かうにつれて距離があくような逆Ｖ字形に展開している。上記幅方向は、図５でいえば、同図を符号が正しくみえる向きにおいて左右方向になる。上記奥行き方向は、図４でいえば、同図を符号が正しくみえる向きにおいて左右方向になる。よって、上記基礎構造物１０を地面付近にそれぞれ配置し、上記貫通孔に上記杭２０をそれぞれ嵌挿し、これらの杭２０を地中に打ち込むと、上記基礎構造物１０が土地に設置される。この実施形態の場合、上記杭１０における、上記基礎構造物１０から上記高さ方向の上記一方側へ突き出た部分に薄いゴム製のキャップを被せて、上記杭１０の内部への雨水等の浸入を防いでいるが、本発明は、このようなキャップを被せない実施形態を含んでいる。
【００２６】
上記接続部材３０は、上記基礎構造物１０の上記中央部１１に設けられている。そして、上記接続部材３０に上記被支持物４０が当該被支持物４０の取り付け部位において取り付けられることになる。そして、上記接続部材３０の調整機能により、上記被支持物４０又は上記連結要素と上記基礎構造物１０との上記高さ方向の位置ずれ、および上記高さ方向に直交する面内での位置ずれが吸収可能に設けられている。本発明で、この高さ方向に直交する面内での位置ずれというときには、例えば上記幅方向、又は上記奥行き方向のように上記の面に含まれる方向に沿った位置ずれも含まれる。
【００２７】
この実施形態の場合、上記接続部材３０が、一端側が上記高さ方向に突出するように他端側が上記基礎構造物１０の上記中央部１１に埋設された第１ボルト３１と、上記高さ方向に向いており、上記第１ボルト３１が貫通する第１長孔３２ａが設けられた第１板３２と、上記第１板３２の上記高さ方向の両側で上記第１ボルト３１に嵌まる第１ナット３３および第２ナット３４と、上記高さ方向に向いており、上記第１板３２よりも上記基礎構造物１０から遠い側に配置されて上記第１板３２に接続され、上記被支持物４０又は上記連結要素の上記取り付け部位と共締めすることになる共締めボルト３６および共締めナット３７のうち上記共締めボルト３６が通る第２長孔３５ａが設けられた第２板３５とを備えている。そして、上記第１長孔３２ａの長手方向と、上記第２長孔３５ａの長手方向とが立体的に交差するように設けられている。ここでは、上記第１長孔３２ａの上記長手方向が上記幅方向となるように形成され、上記第２長孔３５ａの上記長手方向が上記奥行き方向となるように形成されている。よって、上記第１ナット３３および上記第２ナット３４を互いに接近する方へ締めることにより、上記第１ナット３３および上記第２ナット３４によって上記第１板３２の上記第１長孔３２ａの周縁部を所定圧力でもって挟んで保持すれば、上記基礎構造物１０に上記接続部材３０が保持される。そして、上記第１ボルト３１に対する上記第１ナット３３および上記第２ナット３４の位置を調整すれば、上記被支持物４０又は上記連結要素と上記基礎構造物１０との上記高さ方向の位置ずれが吸収される。また、上記第１ボルト３１に対する上記第１長孔３２ａの上記長手方向に沿った嵌まり位置と、上記被支持物４０の上記取り付け部位と共締めされる上記共締めボルト３６に対する上記第２長孔３５ａの上記長手方向に沿った嵌まり位置を調整すれば、上記被支持物４０又は上記連結要素と上記基礎構造物１０との上記高さ方向に直交する面内での位置ずれが吸収される。上記第１長孔３２ａの上記長手方向と、上記第２長孔３５ａの上記長手方向とが立体的に又は平面上で交差しておればよく、上記二つの長手方向が立体的に直交していなくてもよい。この実施形態によって上記第１長孔、又は上記第２長孔の上記長手方向の向きが限定解釈されることはない。
【００２８】
次に、上記完成構造物を説明する。図１ないし図６に示すように、複数の上記基礎構造物１０が地面付近にそれぞれ配置されており、上記複数の杭２０が上記各基礎構造物１０の上記各貫通孔１２にそれぞれ嵌挿されて地中に打ち込まれている。上記配置の形態には、例えば上記基礎構造物を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０は、少なくとも上記高さ方向の上記他方側が地中に埋め込まれ、これによって上記基礎構造物１０が地面付近に配置されている。
【００２９】
この実施形態の場合、上記被支持物４０は太陽電池発電装置である。この太陽電池発電装置は、太陽光発電を行う板状の太陽電池パネル４１と、この太陽電池パネル４１の上記高さ方向の上記他方側に配置され、上記太陽電池パネル４１を支持する支持構造４２とを備えている。上記太陽電池パネル４１および上記支持構造４２は、それぞれ上記被支持物４０の上記要素である。上記支持構造４２は、複数の構造部材を組み上げて形成されている。上記支持構造４２は、その上記高さ方向の上記他方側に、上記構造部材として上記高さ方向と交差する方向に延びる横梁４２ａを備えている。上記横梁４２ａは棒状部材であるが、板状部材、トラス状部材、又は他の形状の部材であってもよい。上記支持構造４２を構成する複数の構造部材、そしてその一つである上記横梁４２ａもまた、上記被支持物４０の上記要素である。この実施形態では、上記横梁４２ａは上記幅方向に延びると共に複数が平行に並べられており、これらの上記横梁４２ａは上記横梁４２ａと交差する方向である上記奥行き方向に延びる縦梁４２ｂにより連結されている。上記縦梁４２ｂは棒状部材であるが、板状部材、トラス状部材、又は他の形状の部材であってもよい。しかし、この実施形態によって上記横梁又は上記縦梁の数や配列が限定解釈されることはなく、上記横梁は１本以上あればよく、上記縦梁を設けるときも１本以上あればよい。この実施形態では、上記横梁４２ａは長手方向に二以上に分割されているが、連続するように設けてもよい。上記横梁４２ａには上記高さ方向に貫通する共締め孔４２ａａが設けられている。この共締め孔４２ａａは上記幅方向を長手方向とする長孔に形成されているが単純な孔に形成してもよい。そして、上記横梁４２ａが、それに対応する上記各基礎構造物１０の上記接続部材３０に取り付けられている。すなわち、上記横梁４２ａの上記共締め孔４２ａａと、それに対応する上記各基礎構造物１０の上記接続部材３０の上記第２板３５の上記第２長孔３５ａとに上記共締めボルト３６が通されて当該共締めボルト３６に上記共締めナット３７が嵌められている。上記基礎構造物１０に上記接続部材３０を設けないときは、例えば図２２および図２３に示すように、上記各横梁４２ａを上記基礎構造物１０の例えば上記中央部１１に例えばボルト３１およびナット３３、３４などの締結手段によりそれぞれ接続する。上記複数の取り付け部位は上記支持構造４２にある。すなわち、上記支持構造４２の上記横梁４２ａにおける上記高さ方向の上記他方側で、上記幅方向に間隔をあけて設けられた複数の支持部位が上記複数の取り付け部位に相当している。この実施形態では、長手方向にみてＣ字形に形成された上記横梁４２ａを用いたが、例えば長手方向にみてＨ形、四角形、又はその他の形状に形成された上記横梁などを用いてもよい。この実施形態の場合、上記支持構造４２は、棒状部材をトラスのように組み立てて形成しているが、上記支持構造は、棒状部材、板状部材、箱状部材、その他の構造部材により、又はこれらを組み合わせることにより構成してもよい。
【００３０】
次に、図１０ないし図１２を参照しながら、本発明の完成構造物の施工方法の第１の実施形態を説明する。この施工方法は、上記第１の実施形態の完成構造物を土地に構築する方法である。すなわち、上記高さ方向に対して角度を持ち且つ互いに干渉することなく異なる方向に延びて上記一端が上記高さ方向の上記一方側の上記中央部１１の周囲に開口し上記他端が上記高さ方向の上記他方側に開口し、地中に打ち込まれる上記杭２０が嵌挿される二以上の上記貫通孔１２が設けられた複数の上記基礎構造物１０と、これらの基礎構造物１０の上記高さ方向の上記一方側に配置される上記被支持物４０とにより土地に上記完成構造物を構築する方法である。上記完成構造物の施工方法は、図１０から図１１へと示すように、上記複数の基礎構造物１０と、上記被支持物４０の上記連結要素とを接続する第１工程と、図１２に示すように、上記各基礎構造物１０の上記貫通孔１２に上記杭２０をそれぞれ嵌挿して土壌中へ打ち込む第２工程とを備えている。上記連結要素は、上記被支持物４０を構成する要素のなかで上記複数の基礎構造物１０のうち二以上の上記基礎構造物１０を連結することになる上記要素である。上記第１工程において、上記複数の基礎構造物１０と、上記連結要素ではなく上記被支持物４０それ自体とを接続してもよい。
【００３１】
この実施形態の施工方法の場合、上記連結要素は、上記高さ方向と交差する方向へ延びる上記横梁４２ａである。また、上記複数の横梁４２ａと、これらを連結する上記縦梁４２ｂとをあわせて上記連結要素としてもよい。図１０に示すように、上記複数の上記基礎構造物１０を地面付近にそれぞれ配置する。この配置の形態には、例えば上記基礎構造物を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０を、少なくとも上記高さ方向の上記他方側を地中に埋め込むことで地面付近に配置している。ここでは、二以上の上記基礎構造物１０が上記幅方向に一列に並べられ、この上記基礎構造物１０の列が上記奥行き方向に二列以上、平行に並んでいる。しかし、これによって本発明の完成構造物の施工方法における上記複数の基礎構造物の配列が限定解釈されることはなく、完成構造物の形状、構造に応じて上記複数の基礎構造物を、例えば環状、千鳥状、放射状、散点状、又はその他の形状に配置してもよい。そして、図１１に示すように、上記各列の上記二以上の基礎構造物１０に対して一つの上記横梁４２ａがそれぞれ配置され、上記各列の上記二以上の基礎構造物１０と上記各横梁４２ａとが連結される。この実施形態の場合、上記各横梁４２ａを上記二以上の基礎構造物１０の上記接続部材３０にそれぞれ接続することで上記連結が行われるが、上記接続部材３０を用いないときには、上記各横梁４２ａを上記二以上の基礎構造物１０に直接に接続する。この実施形態では、図１０に示すように、上記複数の基礎構造物１０を地面付近にそれぞれ配置してから、図１１に示すように、上記複数の基礎構造物１０に上記接続部材３０をそれぞれ取り付け、これらの接続部材３０に上記横梁４２ａを接続した。これに代えて、上記接続部材３０が設けられた上記基礎構造物１０を複数、地面付近にそれぞれ配置してから、上記複数の基礎構造物１０の上記接続部材３０に上記横梁４２ａをそれぞれ接続してもよい。或いは、上記複数の基礎構造物１０を地面付近にそれぞれ配置してから、上記複数の基礎構造物１０に、上記横梁４２ａに接続された上記接続部材３０をそれぞれ取り付けてもよい。上記実施形態では上記横梁４２ａが分割されているので、上記各列の上記二以上の基礎構造物１０と、上記複数の分割部分を連結して一本になった上記横梁４２ａとを接続するが、上記各列の一又は二以上の上記基礎構造物１０と、上記横梁４２ａの分割部分とを接続し、その後に上記複数の分割部分を連結して一本の上記横梁４２ａを形成してもよい。後者の場合、上記各列の上記二以上の基礎構造物１０と、上記横梁４２ａの分割部分とを接続したときには上記分割部分が上記連結要素になる。上記横梁を分割しないときには上記各列の上記二以上の基礎構造物１０と、連続する上記横梁４２ａとを接続する。上記連結要素は、上記被支持物を構成する上記要素のなかで上記複数の基礎構造物のうち二以上の上記基礎構造物を連結することになる上記要素であればよい。そして、上記複数の基礎構造物１０のうち上記各列の上記基礎構造物１０と、上記連結要素としての上記横梁４２ａとをそれぞれ接続することで第１工程が完了する。或いは、上記各列の一又は二以上の上記基礎構造物１０と、上記横梁４２ａの分割部分とを接続し、その後に上記複数の分割部分を連結して一本の上記横梁４２ａを形成するときには、上記各列の上記二以上の基礎構造物１０と、連結要素としての上記分割部分とを接続すること、又は上記複数の分割部分を連結することで第１工程が完了する。或いは、上記複数の横梁４２ａと、これらを連結する上記縦梁４２ｂとをあわせて上記連結要素としたときには、上記複数の基礎構造物１０と、上記縦梁４２ｂにより連結された上記複数の横梁４２ａとを接続することで第１工程が完了する。また、上記第１工程の前に上記被支持物４０を組み立てていたときには、上記複数の基礎構造物１０と、上記要素ではなく上記被支持物４０それ自体における上記横梁４２ａとを接続することで第１工程が完了する。
【００３２】
上記第１工程では、上記基礎構造物１０の上記各貫通孔１２の内部空間を上記高さ方向の上記一方側に延長してできた延長空間１３がそれぞれ上記連結要素と干渉しないように、上記連結要素に対する上記基礎構造物１０の上記高さ方向に延びる軸まわりの位置が決められている。この軸は仮想のもので、上記基礎構造物１０の上記中央部１１を通っている。この実施形態の場合、上記連結要素に対する上記基礎構造物１０の上記高さ方向に延びる軸まわりの位置を、上記各貫通孔１２の上記高さ方向の上記一方側に開口する上記一端の、上記横梁４２ａからの距離つまりこの実施形態では上記奥行き方向に沿った上記横梁４２ａからの距離がほぼ等しくなるように配置されている。上記連結要素に対する上記基礎構造物の上記高さ方向又はその他の方向に沿った位置を変えることで上記干渉を避けるようにしてもよい。上記第１工程で上記複数の基礎構造物１０と、上記連結要素ではなく上記被支持物４０それ自体とを接続するときには、上記第１工程では、上記基礎構造物１０の上記各貫通孔１２の内部空間を上記高さ方向の上記一方側に延長してできた延長空間１３がそれぞれ上記被支持物４０と干渉しないように、上記被支持物４０に対する上記基礎構造物１０の上記高さ方向に延びる軸まわりの位置が決められる。この場合においても、上記被支持物４０に対する上記基礎構造物１０の位置決めは、上記延長空間１３がそれぞれ上記連結要素と干渉しないようにする場合の上記連結要素に対する上記基礎構造物１０の位置決めと同様である。
【００３３】
この実施形態の場合、上記第１工程で、上記複数の基礎構造物１０を地面付近にそれぞれ配置してから、上記複数の基礎構造物１０に上記被支持物４０又は上記連結要素をそれぞれ接続した。しかし、こうする以外にも、例えば、上記第１工程で、上記複数の基礎構造物１０と、上記被支持物４０又は上記連結要素とを接続してから、上記複数の基礎構造物１０を地面付近に配置してもよい。
【００３４】
上記第２工程では、上記各基礎構造物１０の上記貫通孔１２に上記杭２０をそれぞれ嵌挿して土壌中へ打ち込む。これによって、上記連結要素が土地に固定される。そして、上記第２工程の後に、上記複数の基礎構造物１０に接続された上記連結要素に、残りの上記要素を接続し、これによって土地に上記完成構造物が構築される。或いは、上記第１工程の後で上記第２工程の前に、上記複数の基礎構造物１０に接続された上記連結要素に、残りの上記要素を接続してもよい。また、上記第１工程で上記複数の基礎構造物１０と、上記連結要素ではなく上記被支持物４０とを接続したときには、上記第２工程によって土地に上記完成構造物が構築される。
【００３５】
したがって、上記第１実施形態の完成構造物は、上記各基礎構造物１０を貫通して異なる方向に延びる二以上の杭２０が土壌中に打ち込まれているので、あらゆる方向から外力を受けても上記杭が抜けるおそれが少なく、例えば上記被支持物４０が上記基礎構造物１０ごと土地から浮き上がるおそれが少ない。そして、この施工方法の場合、上記各基礎構造物１０の上記貫通孔１２に上記杭２０をそれぞれ嵌挿して土壌中へ打ち込む前に、上記複数の基礎構造物１０と、上記被支持物４０又は上記連結要素とを接続するので、予め上記各基礎構造物１０を土地にそれぞれ高精度で配置すること、上記杭２０を上記各基礎構造物１０が動かないように注意深く土壌中へ打ち込むことなどが不要となり、施工が容易となり、作業性がよくなる。
【００３６】
本発明の完成構造物の施工方法では、上記各基礎構造物の上記貫通孔に上記杭をそれぞれ嵌挿して土壌中へ打ち込むことができれば、上記被支持物又は上記連結要素に対する上記基礎構造物の位置を何ら限定するものではない。そのような種々の実施形態のなかで、上記第１の実施形態の完成構造物の施工方法では、上記第１工程で、上記基礎構造物１０の上記各貫通孔１２の内部空間を上記高さ方向の上記一方側に延長してできた延長空間１３がそれぞれ上記被支持物４０又は上記連結要素と干渉しないように、上記被支持物４０又は上記連結要素に対する上記基礎構造物１０の上記高さ方向に延びる軸まわりの位置が決められている。このようにすれば、上記各延長空間１３を通って土壌中に打ち込まれていく上記各杭２０が、いずれも上記被支持物４０又は上記連結要素と干渉しないので、施工が容易となり、作業性がよくなる。
【００３７】
本発明の完成構造物の施工方法では、例えば、上記第１工程を、上記複数の基礎構造物と、上記被支持物又は上記連結要素とを接続してから、上記複数の基礎構造物を地面付近にそれぞれ配置する工程としてもよい。そのような種々の実施形態のなかで、上記第１の実施形態の完成構造物の施工方法では、上記第１工程が、上記複数の基礎構造物を地面付近にそれぞれ配置してから、上記複数の基礎構造物１０に上記被支持物４０又は上記連結要素をそれぞれ接続する工程である。このようにすれば、先のように上記基礎構造物と上記被支持物等との接続作業に次いで上記基礎構造物を地面付近にそれぞれ配置する場合に較べると、上記複数の基礎構造物１０を地面付近にそれぞれ配置してから、それに上記被支持物４０又は上記連結要素を接続するので、土地への搬入を上記複数の基礎構造物１０と、上記被支持物４０又は上記連結要素とで別々に行なえ、作業の負担が軽減される可能性がある。
【００３８】
本発明の完成構造物の施工方法では、上記被支持物を構成する上記要素であれば、どの上記要素を上記連結要素としてもよい。そのような種々の実施形態のなかで、上記第１の実施形態の完成構造物の施工方法では、上記被支持物の上記連結要素が、上記高さ方向と交差する方向へ延びる上記横梁４２ａである。このようにすれば、例えば上記横梁４２ａの幅（ここでは上記奥行き方向の寸法）、が上記基礎構造物１０の幅（ここでは上記奥行き方向の寸法）よりも短いときなどには、上記各延長空間１３を通って土壌中に打ち込まれていく上記各杭２０が、いずれも上記横梁４２ａと干渉しにくくなり、施工が容易となり、作業性がよくなる。
【００３９】
本発明の完成構造物の施工方法では、上記複数の基礎構造物と、上記被支持物又は上記連結要素とを接続する構造を限定しない。したがって、例えば、これらをボルトおよびナットなどの締結手段、溶接、接着剤、又はその他の接続手段により接続してもよい。そのような種々の実施形態のなかで、上記第１の実施形態の完成構造物の施工方法では、上記基礎構造物１０の上記中央部１１に上記接続部材３０が設けられており、この接続部材３０の上記高さ方向の上記一方側に、上記被支持物４０又は上記連結要素が接続されるように構成されている。このようにすれば、上記基礎構造物１０と上記被支持物４０又は上記連結要素とが上記接続部材３０の分だけ上記高さ方向に距離をあけるので、上記各延長空間１３を通って土壌中に打ち込まれていく上記各杭２０が、いずれも上記被支持物４０又は上記連結要素と干渉しにくくなり、施工が容易となり、作業性がよくなる。また、上記接続部材などに上記位置の調整機能が設けられているので、上記被支持物４０又は上記連結要素と上記基礎構造物１０との相対的な位置関係を調整することが可能である。その場合、上記接続部材などの上記位置調整機能を発揮する構成としては、上記実施形態のように上記長孔を利用した構成に限定解釈されることはなく、例えば接続部材を構成する特定部材に設けたボルト孔をボルトが通る構造において、上記ボルトのネジ部の断面形よりも上記ボルト孔を大きめに設けることにより、上記ボルトに対する上記特定部材の位置を調整し、その後に上記ボルトを締めることで位置を調整可能にする構成などにしてもよい。上記接続部材３０は、上記被支持物４０又は上記連結要素と上記基礎構造物１０との上記高さ方向の位置ずれ、および上記高さ方向に直交する面内での位置ずれが吸収可能に設けられていたが、本発明の上記基礎構造物には、例えば、上記被支持物４０又は上記連結要素と上記基礎構造物１０との上記高さ方向の位置ずれ、上記高さ方向に直交する面内での位置ずれ、および上記高さ方向に直交する線内での位置ずれのうち少なくとも一つの位置を調整可能に設けられた上記接続部材、又は、このような位置ずれ吸収ができない上記接続部材などを備えた上記基礎構造物、および上記接続部材を備えていない基礎構造物も含まれる。よって、本発明の完成構造物の施工方法は、これらの上記基礎構造物を用いた施工方法の実施形態を含んでいる。
【００４０】
本発明の完成構造物の施工方法は、対象とする上記被支持物を限定しない。よって、上記被支持物は、例えばデッキ、遊歩道、又はその他の構造物を含んでいる。そのような種々の実施形態のなかで、上記第１の実施形態の完成構造物の施工方法では、上記被支持物４０が、太陽光発電を行う板状の太陽電池パネル４１と、この太陽電池パネル４１の上記高さ方向の上記他方側に配置され、上記太陽電池パネル４１を支持する支持構造４２とを備えた太陽電池発電装置である。このようにすれば、例えば、多数の太陽電池パネル４１を並べて施工する場合などのように、上記支持構造４２における上記各基礎構造物１０の上記接続部材３０への複数の上記取り付け部位が極めて多数になったときでも、施工が非常に容易となる。上記被支持物４０が、板状部材であって受圧面積が大きな物体である上記太陽電池パネル４１を備えているが、上記基礎構造物１０を貫通して異なる方向に延びる二以上の杭２０が地中に打ち込まれているので、例えば風、水などの圧力によりあらゆる方向から上記外力を受けても上記杭が抜けるおそれが少なく、上記被支持物４０が上記基礎構造物１０ごと土地から浮き上がるおそれが少ない。
【００４１】
次に、本発明の上記完成構造物の第２の実施形態を図１３ないし図１８により説明する。この完成構造物は、上記第１の実施形態の完成構造物で用いた上記基礎構造物１０、上記杭２０、および上記接続部材３０と同一の上記基礎構造物１０、上記杭２０、および上記接続部材３０を用いて組み立てている。この第２の実施形態の完成構造物には上記第１の実施形態、およびその変形例の上記基礎構造物１０、上記杭２０、および上記接続部材３０の構成をそのまま引用し、第１の実施形態、およびその変形例の完成構造物の構成と異なる構成を中心に説明する。ここでは上記第１の実施形態、およびその変形例の完成構造物の上記基礎構造物１０、上記杭２０、および上記接続部材３０などで用いた符号をそのまま用いて説明する。上記第１の実施形態では上記複数の基礎構造物１０と上記横梁４２ａとを接続したが、上記第２の実施形態では縦梁から上記高さ方向の上記他方側へ延びる二以上の支柱と上記基礎構造物１０とを接続している。図１３ないし図１８に示すように、複数の上記基礎構造物１０が地面付近にそれぞれ配置されており、上記複数の杭２０が上記各基礎構造物１０の上記各貫通孔１２にそれぞれ嵌挿されて地中に打ち込まれている。上記配置の形態には、例えば上記基礎構造物を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０は、少なくとも上記高さ方向の上記他方側が地中に埋め込まれ、これによって上記基礎構造物１０が地面付近に配置されている。
【００４２】
この実施形態の場合、上記被支持物４０は太陽電池発電装置である。この太陽電池発電装置は、太陽光発電を行う板状の太陽電池パネル４１と、この太陽電池パネル４１の上記高さ方向の上記他方側に配置され、上記太陽電池パネル４１を支持する支持構造４２とを備えている。上記太陽電池パネル４１および上記支持構造４２は、それぞれ上記被支持物４０の上記要素である。上記支持構造４２は、複数の構造部材を組み上げて形成されている。上記支持構造４２は、その上記高さ方向の上記他方側に、上記構造部材として上記高さ方向と交差する方向に延びる縦梁４２ｂを備えている。上記縦梁４２ｂは棒状部材であるが、板状部材、トラス状部材、又は他の形状の部材であってもよい。上記支持構造４２を構成する複数の構造部材、そしてその一つである上記縦梁４２ｂもまた、上記被支持物４０の上記要素である。この実施形態では、上記縦梁４２ｂは上記奥行き方向に延びており、複数の上記縦梁４２ｂが平行に並べられている。上記縦梁４２ｂは、棒状部材を上記幅方向からみて三角形状になるように組むことで設けられており、さらに内側に斜め材を筋交いのように設けることで補強されているが、これによって上記縦梁の形状が限定解釈されることはない。例えば、上記縦梁を上記奥行き方向に延びる棒状部材、板状部材、又はその他の形状の構造部材で構成してもよい。上記縦梁４２ｂの上記奥行き方向の両端には上記高さ方向の上記他方側へそれぞれ延びる支柱４２ｃが設けられている。これらの上記縦梁４２ｂは上記縦梁４２ｂと交差する方向である上記幅方向に延びて互いに平行な複数の横梁４２ａにより連結されている。上記横梁４２ａは棒状部材であるが、板状部材、トラス状部材、又は他の形状の部材であってもよい。しかし、この実施形態によって上記縦梁又は上記横梁の数や配列が限定解釈されることはなく、上記縦梁は１本以上あればよく、上記横梁を設けるときも上記横梁は１本以上あればよい。この実施形態では、上記横梁４２ａは長手方向に二以上に分割されているが、連続するように設けてもよい。上記支柱４２ｃの上記高さ方向の上記他方側の端部に設けられて上記高さ方向に向いた底板４２ｃａには、上記高さ方向に貫通する共締め孔４２ｃｂが設けられている。この共締め孔４２ｃｂは上記幅方向を長手方向とする長孔に形成されているが単純な孔に形成してもよい。そして、上記支柱４２ｃが、それに対応する上記各基礎構造物１０の上記接続部材３０に取り付けられている。すなわち、上記支柱４２ｃの上記共締め孔４２ｃｂと、それに対応する上記各基礎構造物１０の上記接続部材３０の上記第２板３５の上記第２長孔３５ａとに上記共締めボルト３６が通されて当該共締めボルト３６に上記共締めナット３７が嵌められている。上記基礎構造物１０に上記接続部材３０を設けないときは、例えば図２４および図２５に示すように、上記支柱４２ｃを上記基礎構造物１０の例えば上記中央部１１に例えばボルト３１およびナット３３、３４などの締結手段によりそれぞれ接続する。上記複数の取り付け部位は上記支持構造４２にある。すなわち、上記支持構造４２の上記複数の支柱４２ｃにおける上記高さ方向の上記他方側の端部が上記複数の取り付け部位に相当している。この実施形態では、長手方向にみてＬ字形に形成された上記支柱４２ｃを用いたが、例えば長手方向にみてＨ形、四角形、又はその他の形状に形成された上記支柱などを用いてもよい。この実施形態の場合、上記支持構造４２は、棒状部材をトラスのように組み立てて形成しているが、上記支持構造は、棒状部材、板状部材、箱状部材、その他の構造部材により、又はこれらを組み合わせることにより構成してもよい。
【００４３】
次に、図１９ないし図２１を参照しながら、本発明の完成構造物の施工方法の第２の実施形態を説明する。この施工方法は、上記第２の実施形態の完成構造物を土地に構築する方法である。すなわち、上記高さ方向に対して角度を持ち且つ互いに干渉することなく異なる方向に延びて上記一端が上記高さ方向の上記一方側の上記中央部１１の周囲に開口し上記他端が上記高さ方向の上記他方側に開口し、地中に打ち込まれる上記杭２０が嵌挿される二以上の上記貫通孔１２が設けられた複数の上記基礎構造物１０と、これらの基礎構造物１０の上記高さ方向の上記一方側に配置される上記被支持物４０とにより土地に上記完成構造物を構築する方法である。上記完成構造物の施工方法は、図１９から図２０へと示すように、上記複数の基礎構造物１０と、上記被支持物４０の上記連結要素とを接続する第１工程と、図２１に示すように、上記各基礎構造物１０の上記貫通孔１２に上記杭２０をそれぞれ嵌挿して土壌中へ打ち込む第２工程とを備えている。上記連結要素は、上記被支持物４０を構成する上記要素のなかで上記複数の基礎構造物１０のうち二以上の上記基礎構造物１０を連結することになる上記要素である。上記第１工程において、上記複数の基礎構造物１０と、上記連結要素ではなく上記被支持物４０それ自体とを接続してもよい。
【００４４】
この実施形態の施工方法の場合、上記縦梁４２ｂと、この縦梁４２ｂから上記高さ方向の上記他方側へ延びる上記支柱４２ｃとをあわせて上記連結要素となる。また、複数の上記縦梁４２ｂおよび上記支柱４２ｃと、二以上の上記縦梁４２ｂを連結する上記横梁４２ａとをあわせて上記連結要素としてもよい。図１９に示すように、図１０に示すように、上記複数の上記基礎構造物１０を地面付近にそれぞれ配置する。この配置の形態には、例えば上記基礎構造物を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０を、少なくとも上記高さ方向の上記他方側を地中に埋め込むことで地面付近に配置している。ここでは、二以上の上記基礎構造物１０が上記幅方向に一列に並べられ、この上記基礎構造物１０の列が上記奥行き方向に二列以上、平行に並んでいる。しかし、これによって本発明の完成構造物の施工方法における上記複数の基礎構造物の配列が限定解釈されることはなく、完成構造物の形状、構造に応じて上記複数の基礎構造物を、例えば環状、千鳥状、放射状、散点状、又はその他の形状に配置してもよい。そして、図２０に示すように、異なる上記列に属して上記奥行き方向に隣り合う二以上の上記基礎構造物１０に対して一つの上記縦梁４２ｂがそれぞれ配置され、上記隣り合う二以上の基礎構造物１０と上記各縦梁４２ｂの上記支柱４２ｃとがそれぞれ連結される。この実施形態の場合、上記各支柱４２ｃを上記二以上の基礎構造物１０の上記接続部材３０に接続することで上記連結が行われるが、上記接続部材３０を用いないときには、上記各支柱４２ｃを上記基礎構造物１０に直接に接続する。この実施形態では、図１９に示すように、上記複数の基礎構造物１０を地面付近にそれぞれ配置してから、図２０に示すように、上記複数の基礎構造物１０に上記接続部材３０をそれぞれ取り付け、これらの接続部材３０に上記各縦梁４２ｂの上記支柱４２ｃをそれぞれ接続した。これに代えて、上記接続部材３０が設けられた上記基礎構造物１０を複数、地面付近にそれぞれ配置してから、上記複数の基礎構造物１０の上記接続部材３０に上記各縦梁４２ｂの上記支柱４２ｃをそれぞれ接続してもよい。或いは、上記複数の基礎構造物１０を地面付近にそれぞれ配置してから、上記複数の基礎構造物１０に、上記各縦梁４２ｂの上記支柱４２ｃに接続された上記接続部材３０をそれぞれ取り付けてもよい。上記実施形態では上記縦梁４２ｂは分割されていないが、上記縦梁４２ｂが分割されているときには、上記異なる列に属して隣り合う二以上の基礎構造物１０と、上記複数の分割部分を連結して一本になった上記縦梁４２ｂの上記支柱４２ｃとを接続するか、上記異なる列に属して隣り合う二以上の基礎構造物１０のうち一又は二以上の上記基礎構造物１０と、上記縦梁４２ｂの上記分割部分の上記支柱４２ｃとを接続し、その後に上記複数の分割部分を連結して一本の上記縦梁４２ｂを形成する。後者の場合、上記異なる列に属して隣り合う二以上の基礎構造物１０と、上記縦梁４２ｂの分割部分の上記支柱４２ｃとを接続したときには上記分割部分および上記支柱４２ｃが上記連結要素になる。上記縦梁を分割しないときには上記異なる列に属して隣り合う二以上の基礎構造物１０と、連続した上記縦梁４２ｂの上記支柱４２ｃとをそれぞれ接続する。上記連結要素は、上記被支持物を構成する上記要素のなかで上記複数の基礎構造物のうち二以上の上記基礎構造物を連結することになる上記要素であればよい。そして、上記複数の基礎構造物１０のうち上記異なる列に属して隣り合う二以上の基礎構造物１０と、上記連結要素としての上記縦梁４２ｂおよび上記支柱４２ｃにおける上記支柱４２ｃとをそれぞれ接続することで第１工程が完了する。或いは、上記異なる列に属して隣り合う二以上の基礎構造物１０のうち一又は二以上の上記基礎構造物１０と、上記縦梁４２ｂの上記分割部分の上記支柱４２ｃとを接続し、その後に上記複数の分割部分を連結して一本の上記縦梁４２ｂを形成するときには、上記異なる列に属して隣り合う二以上の基礎構造物１０と、上記縦梁４２ｂの分割部分の上記支柱４２ｃとを接続すること、又は上記複数の分割部分を連結することで第１工程が完了する。或いは、上記複数の縦梁４２ｂおよび上記支柱４２ｃと、上記複数の縦梁４２ｂを連結する上記横梁４２ａとをあわせて上記連結要素としたときには、上記複数の基礎構造物１０と、上記横梁４２ａにより連結された上記複数の縦梁４２ｂの上記支柱４２ｃとを接続することで第１工程が完了する。また、上記第１工程の前に上記被支持物４０を組み立てていたときには、上記複数の基礎構造物１０と、上記要素ではなく上記被支持物４０それ自体における上記支柱４２ｃとを接続することで第１工程が完了する。
【００４５】
上記第１工程では、上記基礎構造物１０の上記各貫通孔１２の内部空間を上記高さ方向の上記一方側に延長してできた延長空間１３がそれぞれ上記連結要素と干渉しないように、上記連結要素に対する上記基礎構造物１０の上記高さ方向に延びる軸まわりの位置が決められている。この軸は仮想のもので、上記基礎構造物１０の上記中央部１１を通っている。この実施形態の場合、上記連結要素に対する上記基礎構造物１０の上記高さ方向に延びる軸まわりの位置を、上記各貫通孔１２の上記高さ方向の上記一方側に開口する上記一端の、上記縦梁４２ｂ又は上記支柱４２ｃからの距離つまりこの実施形態では上記幅方向に沿った上記縦梁４２ｂからの距離がほぼ等しくなるように配置されている。上記連結要素に対する上記基礎構造物の上記高さ方向又はその他の方向に沿った位置を変えることで上記干渉を避けるようにしてもよい。上記第１工程で上記複数の基礎構造物１０と、上記連結要素ではなく上記被支持物４０それ自体とを接続するときには、上記第１工程では、上記基礎構造物１０の上記各貫通孔１２の内部空間を上記高さ方向の上記一方側に延長してできた延長空間１３がそれぞれ上記被支持物４０と干渉しないように、上記被支持物４０に対する上記基礎構造物１０の上記高さ方向に延びる軸まわりの位置が決められる。この場合においても、上記被支持物４０に対する上記基礎構造物１０の位置決めは、上記延長空間１３がそれぞれ上記連結要素と干渉しないようにする場合の上記連結要素に対する上記基礎構造物１０の位置決めと同様である。
【００４６】
この実施形態の場合、上記第１工程で、上記複数の基礎構造物１０を地面付近にそれぞれ配置してから、上記複数の基礎構造物１０に上記被支持物４０又は上記連結要素をそれぞれ接続した。しかし、こうする以外にも、例えば、上記第１工程で、上記複数の基礎構造物１０と、上記被支持物４０又は上記連結要素とを接続してから、上記複数の基礎構造物１０を地面付近にそれぞれ配置してもよい。
【００４７】
上記第２工程では、上記各基礎構造物１０の上記貫通孔１２に上記杭２０をそれぞれ嵌挿して土壌中へ打ち込む。これによって、上記連結要素が土地に固定される。そして、上記第２工程の後に、上記複数の基礎構造物１０に接続された上記連結要素に、残りの上記要素を接続し、これによって土地に上記完成構造物が構築される。或いは、上記第１工程の後で上記第２工程の前に、上記複数の基礎構造物１０に接続された上記連結要素に、残りの上記要素を接続してもよい。また、上記第１工程で上記複数の基礎構造物１０と、上記連結要素ではなく上記被支持物４０とを接続したときには、上記第２工程によって土地に上記完成構造物が構築される。上記第２の実施形態の上記完成構造物の施工方法によっても、上記第１の実施形態の上記完成構造物の施工方法の場合と同様の作用および効果を得ることができる。
【００４８】
本発明の上記完成構造物の施工方法は、以上の実施形態、および変形例の特徴を組み合わせた実施形態を含んでいる。さらに、以上の実施形態、および変形例は本発明の上記完成構造物の施工方法のいくつかの例を示したに過ぎない。したがって、これらの実施形態、および変形例の記載によって本発明の上記完成構造物の施工方法が限定解釈されることはない。
【符号の説明】
【００４９】
１０  基礎構造物
１１  中央部
１２  貫通孔
１３  延長空間
２０  杭
３０  接続部材
４０  被支持物
４１  太陽電池パネル
４２  支持構造
４２ａ  横梁
４２ｂ  縦梁
４２ｃ  支柱
G  土地の表面
【図１】
2014047475.tif 000003
【図２】
2014047475.tif 000004
【図３】
2014047475.tif 000005
【図４】
2014047475.tif 000006
【図５】
2014047475.tif 000007
【図６】
2014047475.tif 000008
【図７】
2014047475.tif 000009
【図８】
2014047475.tif 000010
【図９】
2014047475.tif 000011
【図１０】
2014047475.tif 000012
【図１１】
2014047475.tif 000013
【図１２】
2014047475.tif 000014
【図１３】
2014047475.tif 000015
【図１４】
2014047475.tif 000016
【図１５】
2014047475.tif 000017
【図１６】
2014047475.tif 000018
【図１７】
2014047475.tif 000019
【図１８】
2014047475.tif 000020
【図１９】
2014047475.tif 000021
【図２０】
2014047475.tif 000022
【図２１】
2014047475.tif 000023
【図２２】
2014047475.tif 000024
【図２３】
2014047475.tif 000025
【図２４】
2014047475.tif 000026
【図２５】
2014047475.tif 000027